(57)【要約】【課題】着座中の使用者に水がかかることを抑制しつつ、ノズルに設けられた噴出口からボウルのより広い範囲に水を付着させることができる衛生洗浄装置を提供する。【解決手段】ボウルを有する便器の上に設けられる衛生洗浄装置であって、ケーシングと、ノズルと、制御部と、を備え、ノズルは、前下方に向けて水を噴出する第１噴出口と、第１噴出口よりも後方に向けて水を噴出する第２噴出口と、を有し、制御部は、衛生洗浄装置の使用前に、第１噴出口から水を噴出させる前方洗浄動作と、第２噴出口から水を噴出させる後方洗浄動作と、を行い、前方洗浄動作は、ノズルが所定位置または所定位置よりも前方にある状態で行われ、後方洗浄動作は、ノズルが所定位置よりも後方にある状態で行われることを特徴とする衛生洗浄装置。【選択図】図９
2020204155.tif 000002
【特許請求の範囲】
【請求項１】
ボウルを有する便器の上に設けられる衛生洗浄装置であって、
ケーシングと、
人体局部を洗浄するノズルであって、前記ケーシングに収納される収納位置と前記ケーシングから進出した進出位置との間で進退可能な前記ノズルと、
前記ノズルの動作を制御する制御部と、
を備え、
前記ノズルは、前下方に向けて水を噴出する第１噴出口と、前記第１噴出口よりも後方に向けて水を噴出する第２噴出口と、を有し、
前記制御部は、前記衛生洗浄装置の使用前に、前記第１噴出口から水を噴出させる前方洗浄動作と、前記第２噴出口から水を噴出させる後方洗浄動作と、を行い、
前記前方洗浄動作は、前記ノズルが前記収納位置と前記進出位置との間の所定位置または前記所定位置よりも前方にある状態で行われ、
前記後方洗浄動作は、前記ノズルが前記所定位置よりも後方にある状態で行われることを特徴とする衛生洗浄装置。
【請求項２】
開口を有する便座をさらに備え、
前記ノズルの前端部は、前記ノズルが前記所定位置にあるとき、前記便座の前記開口の後端よりも前方に位置することを特徴とする請求項１記載の衛生洗浄装置。
【請求項３】
便座と、
使用者の前記便座への着座を検知する着座検知センサと、
をさらに備え、
前記制御部は、前記着座検知センサが前記着座をしない状態から前記着座を検知した状態になると、前記前方洗浄動作と前記後方洗浄動作とを行うことを特徴とする請求項１または２に記載の衛生洗浄装置。
【請求項４】
前記制御部は、前記ノズルを進出させながら前記後方洗浄動作を行った後、前記前方洗浄動作を行うことを特徴とする請求項１〜３のいずれか１つに記載の衛生洗浄装置。
【請求項５】
前記制御部は、前記前方洗浄動作を行った後、前記ノズルを後退させながら前記後方洗浄動作を行うことを特徴とする請求項１〜４のいずれか１つに記載の衛生洗浄装置。
【発明の詳細な説明】
【技術分野】
【０００１】
本発明の態様は、一般的に、衛生洗浄装置に関する。
【背景技術】
【０００２】
従来から、便器のボウルへの汚れの付着や堆積を抑制する手段として、使用前にボウルに水を噴出することが知られている。この例として、特許文献１のように、衛生洗浄装置の人体局部洗浄用ノズルにボウルへ向けて水を噴出する噴出口を設け、ノズルをケーシングから進出させて噴出口からボウルに水を噴出するものがある。
【０００３】
この衛生洗浄装置では、使用者が便座に着座した状態で水を噴出する際に使用者に水がかからないように、噴出口の噴出角度を下向きにしている。しかし、噴出口の噴出角度を下向きにすると、ボウルの前方側に水を付着させにくくなってしまう。
【０００４】
これを解決する手段として、例えば、使用者に水がかからないように、噴出口からボウルの前方側に向けて水を噴出することが考えられる。しかし、この場合には、ボウルの前方側には水を付着させやすくなるものの、ボウルの後方側には水を付着させにくくなり、結果として、噴出口から噴出された水が付着する範囲が狭くなってしまう。
【先行技術文献】
【特許文献】
【０００５】
【特許文献１】特開２０１５−１０１９４２号公報
【発明の概要】
【発明が解決しようとする課題】
【０００６】
本発明は、かかる課題の認識に基づいてなされたものであり、着座中の使用者に水がかかることを抑制しつつ、ノズルに設けられた噴出口からボウルのより広い範囲に水を付着させることができる衛生洗浄装置を提供することを目的とする。
【課題を解決するための手段】
【０００７】
第１の発明は、ボウルを有する便器の上に設けられる衛生洗浄装置であって、ケーシングと、人体局部を洗浄するノズルであって、前記ケーシングに収納される収納位置と前記ケーシングから進出した進出位置との間で進退可能な前記ノズルと、前記ノズルの動作を制御する制御部と、を備え、前記ノズルは、前下方に向けて水を噴出する第１噴出口と、前記第１噴出口よりも後方に向けて水を噴出する第２噴出口と、を有し、前記制御部は、前記衛生洗浄装置の使用前に、前記第１噴出口から水を噴出させる前方洗浄動作と、前記第２噴出口から水を噴出させる後方洗浄動作と、を行い、前記前方洗浄動作は、前記ノズルが前記収納位置と前記進出位置との間の所定位置または前記所定位置よりも前方にある状態で行われ、前記後方洗浄動作は、前記ノズルが前記所定位置よりも後方にある状態で行われることを特徴とする衛生洗浄装置である。
【０００８】
この衛生洗浄装置によれば、ノズルが所定位置または所定位置よりも前方にある状態で第１噴出口から前下方に向けて水を噴出する前方洗浄動作を行うことで、着座中の使用者に水がかかることを抑制しつつ、ボウルの前方側に水を付着させることができる。
また、この衛生洗浄装置によれば、ノズルが所定位置よりも後方にある状態で第２噴出口から第１噴出口よりも後方に向けて水を噴出する後方洗浄動作を行うことで、前方洗浄動作において水を付着させにくいボウルの後方側にも水を付着させることができる。
このように、ノズルの位置に応じて、前後方向において異なる向きに水を噴出する２つの噴出口（第１噴出口及び第２噴出口）のそれぞれから水を噴出させることで、着座中の使用者に水がかかることを抑制しつつ、ノズルに設けられた噴出口からボウルのより広い範囲に水を付着させることができる。
【０００９】
第２の発明は、第１の発明において、開口を有する便座をさらに備え、前記ノズルの前端部は、前記ノズルが前記所定位置にあるとき、前記便座の前記開口の後端よりも前方に位置することを特徴とする衛生洗浄装置である。
【００１０】
この衛生洗浄装置によれば、ノズルの前端部が便座の開口の後端よりも前方に位置する状態で前方洗浄動作を行うことで、着座中の使用者に第１噴出口から噴出された水がかかることをより確実に抑制できる。
【００１１】
第３の発明は、第１または第２の発明において、便座と、使用者の前記便座への着座を検知する着座検知センサと、をさらに備え、前記制御部は、前記着座検知センサが前記着座をしない状態から前記着座を検知した状態になると、前記前方洗浄動作と前記後方洗浄動作とを行うことを特徴とする衛生洗浄装置である。
【００１２】
この衛生洗浄装置によれば、使用者の着座をトリガーにして使用前洗浄（前方洗浄動作及び後方洗浄動作）を行うことで、衛生洗浄装置の使用直前にボウルに水を付着させることができる。これにより、ボウルに水を付着させてから時間が経過して付着した水が乾いたり水が落水したりしてしまうことを抑制できる。特に、前方洗浄動作及び後方洗浄動作のうち、先に行われた動作で水が付着した箇所において、付着した水が乾いたり水が落水したりしてしまうことを抑制できる。
【００１３】
第４の発明は、第１〜第３のいずれか１つの発明において、前記制御部は、前記ノズルを進出させながら前記後方洗浄動作を行った後、前記前方洗浄動作を行うことを特徴とする衛生洗浄装置である。
【００１４】
この衛生洗浄装置によれば、前方洗浄動作の前に、ノズルを進出させながら後方洗浄動作を行うことで、より短い時間でボウルのより広い範囲に水を付着させることができる。
【００１５】
第５の発明は、第１〜第４のいずれか１つの発明において、前記制御部は、前記前方洗浄動作を行った後、前記ノズルを後退させながら前記後方洗浄動作を行うことを特徴とする衛生洗浄装置である。
【００１６】
この衛生洗浄装置によれば、ノズルを後退させながら後方洗浄動作を行うことで、ノズル内の残水の塊がボウルに落下することを抑制できる。これにより、後方洗浄動作でボウルに付着した水がノズル内の残水の塊によって流れてしまうことを抑制できる。
【発明の効果】
【００１７】
本発明の態様によれば、着座中の使用者に水がかかることを抑制しつつ、ノズルに設けられた噴出口からボウルのより広い範囲に水を付着させることができる衛生洗浄装置が提供される。
【図面の簡単な説明】
【００１８】
【図１】実施形態に係る衛生洗浄装置を備えたトイレ装置を模式的に表す斜視図である。
【図２】実施形態に係る衛生洗浄装置の要部構成を模式的に表すブロック図である。
【図３】図３（ａ）及び図３（ｂ）は、実施形態に係る衛生洗浄装置のノズルを模式的に表す斜視図である。
【図４】実施形態に係る衛生洗浄装置のノズルを模式的に表す正面図である。
【図５】実施形態に係る衛生洗浄装置のノズル周辺を模式的に表す断面図である。
【図６】実施形態に係る衛生洗浄装置のノズル周辺を模式的に表す断面図である。
【図７】実施形態に係る衛生洗浄装置を備えたトイレ装置を模式的に表す断面図である。
【図８】実施形態に係る衛生洗浄装置を備えたトイレ装置を模式的に表す断面図である。
【図９】実施形態に係る衛生洗浄装置を備えたトイレ装置を模式的に表す断面図である。
【図１０】実施形態に係る衛生洗浄装置を備えたトイレ装置を模式的に表す断面図である。
【図１１】実施形態に係る衛生洗浄装置の動作の一例を表すフローチャートである。
【図１２】実施形態に係る衛生洗浄装置の動作の別の一例を表すフローチャートである。
【図１３】実施形態に係る衛生洗浄装置の動作の別の一例を表すフローチャートである。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、実施形態に係る衛生洗浄装置を備えたトイレ装置を模式的に表す斜視図である。  
図１に表したように、トイレ装置９００は、腰掛大便器（便器）８００と、その上に設置された衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。便器８００は、ボウル８０１を有する。便座２００は、開口２０１を有する。
【００２０】
以下の実施形態の説明では、「上方」、「下方」、「前方」、「後方」、「右側方」、及び「左側方」を用いるが、これらの方向は、図１に表すように、便座２００に座った使用者から見た方向である。
【００２１】
ケーシング４００の内部には、便座２００に座った使用者の「おしり」などの局部の洗浄を実現する局部洗浄機能部などが内蔵されている。局部洗浄機能部は、ノズル４７３を含む。ノズル４７３は、ケーシング４００に収納される収納位置と、ケーシング４００から進出した進出位置との間で進退可能である。ノズル４７３は、ケーシング４００の前下方に位置するボウル８０１の中心に向けて直線状の軌道で進出し、ボウル８０１の後上方に位置するケーシング４００の内部に向けて直線状の軌道で後退する。なお、図１に表した衛生洗浄装置１００では、ノズル４７３が進出位置にある状態を表している。
【００２２】
衛生洗浄装置１００には、使用者の便座２００への着座を検知する着座検知センサ４０４（図２参照）が設けられている。着座検知センサ４０４が便座２００に座った使用者を検知している場合において、使用者が例えばリモコンなどの操作部５００（図２参照）を操作すると、ノズル４７３を進出位置に進出させたり、収納位置に後退させたりすることができる。
【００２３】
ノズル４７３は、ケーシング４００から進出した状態で、人体局部に向けて水（洗浄水）を吐出し、人体局部の洗浄を行う。ノズル４７３の先端部には、おしり洗浄吐水口４７４ａ、やわらか洗浄吐水口４７４ｂ、及びビデ洗浄吐水口４７４ｃが設けられている。ノズル４７３は、その先端に設けられたおしり洗浄吐水口４７４ａまたはやわらか洗浄吐水口４７４ｂから水を噴射して、便座２００に座った使用者の「おしり」を洗浄することができる。あるいは、ノズル４７３は、その先端に設けられたビデ洗浄吐水口４７４ｃから水を噴射して、便座２００に座った女性の女性局部を洗浄することができる。なお、本願明細書において「水」という場合には、冷水のみならず、加熱されたお湯も含むものとする。
【００２４】
「おしり」を洗浄するモードのなかには、例えば、「おしり洗浄」と、「おしり洗浄」よりもソフトな水流で優しく洗浄する「やわらか洗浄」と、が含まれる。ノズル４７３は、例えば、「おしり洗浄」と、「やわらか洗浄」と、「ビデ洗浄」と、を実行することができる。
【００２５】
なお、図１に表したノズル４７３では、ビデ洗浄吐水口４７４ｃがやわらか洗浄吐水口４７４ｂよりもノズル４７３の先端側に設けられており、やわらか洗浄吐水口４７４ｂがおしり洗浄吐水口４７４ａよりもノズル４７３の先端側に設けられているが、おしり洗浄吐水口４７４ａ、やわらか洗浄吐水口４７４ｂ、及びビデ洗浄吐水口４７４ｃの設置位置は、これだけに限定されるわけではない。また、図１に表したノズル４７３では、３つの吐水口が設けられているが、例えば、やわらか洗浄吐水口４７４ｂが省略されていてもよいし、４つ以上の吐水口が設けられていてもよい。
【００２６】
図２は、実施形態に係る衛生洗浄装置の要部構成を模式的に表すブロック図である。  
図２では、水路系と電気系の要部構成を併せて表している。  
図２に表したように、衛生洗浄装置１００は、導水部２０を有する。導水部２０は、水道や貯水タンクなどの給水源１０からノズル４７３に至る管路２０ａを有する。導水部２０は、管路２０ａにより、給水源１０から供給された水をノズル４７３に導く。管路２０ａは、例えば、以下に説明する電磁弁４３１、熱交換器ユニット４４０、流路切替部４７２などの各部と、これらの各部を接続する複数の配管と、によって形成される。
【００２７】
導水部２０の上流側には、電磁弁４３１が設けられている。電磁弁４３１は、開閉可能な電磁バルブであり、ケーシング４００の内部に設けられた制御部４０５からの指令に基づいて水の供給を制御する。換言すれば、電磁弁４３１は、管路２０ａを開閉する。電磁弁４３１を開状態にすることにより、給水源１０から供給された水が、管路２０ａに流れる。
【００２８】
電磁弁４３１の下流には、調圧弁４３２が設けられている。調圧弁４３２は、給水圧が高い場合に、管路２０ａ内の圧力を所定の圧力範囲に調整する。調圧弁４３２の下流には、逆止弁４３３が設けられている。逆止弁４３３は、管路２０ａ内の圧力が低下した場合などに、逆止弁４３３よりも上流側への水の逆流を抑制する。
【００２９】
逆止弁４３３の下流には、熱交換器ユニット４４０（加熱部）が設けられている。熱交換器ユニット４４０は、ヒータを有し、給水源１０から供給された水を加熱して例えば規定の温度まで昇温する。すなわち、熱交換器ユニット４４０は、温水を生成する。
【００３０】
熱交換器ユニット４４０は、例えばセラミックヒータなどを用いた瞬間加熱式（瞬間式）の熱交換器である。瞬間加熱式の熱交換器は、貯湯タンクを用いた貯湯加熱式の熱交換器と比較すると、短い時間で水を規定の温度まで昇温させることができる。なお、熱交換器ユニット４４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００３１】
熱交換器ユニット４４０は、制御部４０５と接続されている。制御部４０５は、例えば、使用者による操作部５００の操作に応じて熱交換器ユニット４４０を制御することにより、操作部５００で設定された温度に水を昇温する。
【００３２】
熱交換器ユニット４４０の下流には、流量センサ４４２が設けられている。流量センサ４４２は、熱交換器ユニット４４０から吐出された水の流量を検知する。すなわち、流量センサ４４２は、管路２０ａ内を流れる水の流量を検知する。流量センサ４４２は、制御部４０５に接続されている。流量センサ４４２は、流量の検知結果を制御部４０５に入力する。
【００３３】
流量センサ４４２の下流には、電解槽ユニット４５０が設けられている。電解槽ユニット４５０は、内部を流れる水道水を電気分解することにより、水道水から次亜塩素酸を含む液（機能水）を生成する。電解槽ユニット４５０は、制御部４０５に接続されている。電解槽ユニット４５０は、制御部４０５による制御に基づいて、機能水の生成を行う。
【００３４】
電解槽ユニット４５０において生成される機能水は、例えば、銀イオンや銅イオンなどの金属イオンを含む溶液であってもよい。あるいは、電解槽ユニット４５０において生成される機能水は、電解塩素やオゾンなどを含む溶液であってもよい。あるいは、電解槽ユニット４５０において生成される機能水は、酸性水やアルカリ水であってもよい。
【００３５】
電解槽ユニット４５０の下流には、バキュームブレーカ（ＶＢ）４５２が設けられている。バキュームブレーカ４５２は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４５２は、導水部２０に水の流れが無い時に、管路２０ａ内に空気を取り込む。弁機構には、例えば、フロート弁が用いられる。
【００３６】
バキュームブレーカ４５２は、上記のように管路２０ａ内に空気を取り込むことにより、例えば、管路２０ａのバキュームブレーカ４５２よりも下流の部分の水抜きを促進させる。バキュームブレーカ４５２は、例えば、ノズル４７３の水抜きを促進する。このように、バキュームブレーカ４５２は、ノズル４７３内の水を抜いてノズル４７３内に空気を取り込むことにより、例えば、ノズル４７３内の洗浄水やボウル８０１内に溜まった汚水などが、給水源１０（上水）側に逆流してしまうことを抑制する。
【００３７】
バキュームブレーカ４５２の下流には、圧力変調部４５４が設けられている。圧力変調部４５４は、導水部２０の管路２０ａ内の水の流れに脈動または加速を与え、ノズル４７３のおしり洗浄吐水口４７４ａ、やわらか洗浄吐水口４７４ｂ、及びビデ洗浄吐水口４７４ｃやノズル洗浄部４７８の吐水部から吐水される水に脈動を与える。すなわち、圧力変調部４５４は、管路２０ａ内を流れる水の流動状態を変動させる。圧力変調部４５４は、制御部４０５に接続されている。圧力変調部４５４は、制御部４０５による制御に基づいて、水の流動状態を変動させる。圧力変調部４５４は、管路２０ａ内の水の圧力を変動させる。
【００３８】
圧力変調部４５４の下流には、流量調整部４７１が設けられている。流量調整部４７１は、水勢（流量）の調整を行う。流量調整部４７１の下流には、流路切替部４７２が設けられている。流路切替部４７２は、ノズル４７３やノズル洗浄部４７８への給水の開閉や切替を行う。流量調整部４７１及び流路切替部４７２は、１つのユニットとして設けられてもよい。流量調整部４７１及び流路切替部４７２は、制御部４０５に接続されている。流量調整部４７１及び流路切替部４７２の動作は、制御部４０５によって制御される。
【００３９】
流路切替部４７２の下流には、ノズル４７３、及びノズル洗浄部４７８が設けられている。ノズル４７３は、ノズル駆動部４７６からの駆動力を受け、便器８００のボウル８０１内に進出したり、ボウル８０１内から後退したりする。
【００４０】
ノズル洗浄部４７８は、例えば、吐水部から機能水あるいは水を噴射することにより、ノズル４７３の外周表面（胴体）を洗浄する。
【００４１】
また、流路切替部４７２の下流には、導水部２０を介して給水源１０から供給された水や電解槽ユニット４５０において生成された機能水を、ノズル４７３に供給するおしり洗浄流路２１と、やわらか洗浄流路２２と、ビデ洗浄流路２３と、が設けられている。おしり洗浄流路２１は、流路切替部４７２とおしり洗浄吐水口４７４ａとを接続する。やわらか洗浄流路２２は、流路切替部４７２とやわらか洗浄吐水口４７４ｂとを接続する。ビデ洗浄流路２３は、流路切替部４７２とビデ洗浄吐水口４７４ｃとを接続する。
【００４２】
また、流路切替部４７２の下流には、表面洗浄流路２４と、第１ボウル噴出流路２５と、第２ボウル噴出流路２６と、が設けられている。表面洗浄流路２４は、導水部２０を介して給水源１０から供給された水や電解槽ユニット４５０において生成された機能水をノズル洗浄部４７８の吐水部へ導く。第１ボウル噴出流路２５及び第２ボウル噴出流路２６は、導水部２０を介して給水源１０から供給された水や電解槽ユニット４５０において生成された機能水をノズル４７３の噴出口４７９（後述の第１噴出口４７９ａ及び第２噴出口４７９ｂ）へ導く。噴出口４７９に供給された水または機能水は、噴出口４７９からボウル８０１に向けて噴出される。
【００４３】
制御部４０５は、流路切替部４７２を制御することにより、おしり洗浄流路２１、やわらか洗浄流路２２、ビデ洗浄流路２３、表面洗浄流路２４、第１ボウル噴出流路２５、及び第２ボウル噴出流路２６の各流路の開閉を切り替える。このように、流路切替部４７２は、おしり洗浄吐水口４７４ａ、やわらか洗浄吐水口４７４ｂ、ビデ洗浄吐水口４７４ｃ、ノズル洗浄部４７８、及び噴出口４７９などの複数の吐水口のそれぞれについて、管路２０ａに連通させた状態と、管路２０ａに連通させない状態と、を切り替える。
【００４４】
制御部４０５は、電源回路４０１から電力を供給され、着座検知センサ４０４や、流量センサ４４２や、操作部５００などからの信号に基づいて、電磁弁４３１や、熱交換器ユニット４４０や、電解槽ユニット４５０や、圧力変調部４５４や、流量調整部４７１や、流路切替部４７２や、ノズル駆動部４７６などの動作を制御する。これにより、制御部４０５は、ノズル４７３の動作を制御する。
【００４５】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００４６】
図３（ａ）及び図３（ｂ）は、実施形態に係る衛生洗浄装置のノズルを模式的に表す斜視図である。  
図４は、実施形態に係る衛生洗浄装置のノズルを模式的に表す正面図である。  
図５は、実施形態に係る衛生洗浄装置のノズル周辺を模式的に表す断面図である。  
図６は、実施形態に係る衛生洗浄装置のノズル周辺を模式的に表す断面図である。  
図５及び図６は、図１に示すＡ１−Ａ２線による断面のうち、ノズル４７３の周辺を表す。
【００４７】
図３（ａ）、図３（ｂ）、図４、図５、及び図６に表したように、ノズル４７３は、例えば、ノズルヘッド４７３ａと、ノズルカバー４７３ｂと、を有する。ノズルヘッド４７３ａは、ノズルカバー４７３ｂの内部に収納されている。換言すれば、ノズルカバー４７３ｂは、ノズルヘッド４７３ａを覆っている。
【００４８】
ノズルヘッド４７３ａには、人体局部に向けて水を吐出する吐水口４７４（おしり洗浄吐水口４７４ａ、やわらか洗浄吐水口４７４ｂ、及びビデ洗浄吐水口４７４ｃ）と、ボウル８０１に向けて水を噴出する噴出口４７９（第１噴出口４７９ａ及び第２噴出口４７９ｂ）と、が設けられている。ノズルヘッド４７３ａは、おしり洗浄流路２１、やわらか洗浄流路２２、ビデ洗浄流路２３、第１ボウル噴出流路２５、及び第２ボウル噴出流路２６に接続されている。
【００４９】
ノズルカバー４７３ｂには、吐水口４７４（おしり洗浄吐水口４７４ａ、やわらか洗浄吐水口４７４ｂ、及びビデ洗浄吐水口４７４ｃ）と連通する孔部４７５ａと、噴出口４７９（第１噴出口４７９ａ及び第２噴出口４７９ｂ）を露出させる切り欠き部４７５ｂと、が設けられている。図４に表したように、切り欠き部４７５ｂは、例えば、ノズル４７３の前端部４７７の上下方向の中央ＣＬ１よりも下方に設けられる。
【００５０】
このように、第１噴出口４７９ａ及び第２噴出口４７９ｂを露出させる切り欠き部４７５ｂを、ノズル４７３の前端部４７７の上下方向の中央ＣＬ１よりも下方に設けることで、使用者から見たときに切り欠き部４７５ｂを目立ちにくくすることができる。これにより、意匠性を向上させることができる。
【００５１】
図５及び図６に表したように、衛生洗浄装置１００は、遮蔽板６００を備えている。遮蔽板６００は、ケーシング４００に対して回動可能に設けられている。遮蔽板６００は、ノズル４７３が収納位置にあるとき、ノズル４７３の前方に位置する。遮蔽板６００は、ノズル４７３が進出位置にあるとき、ノズル４７３の上方に位置する。遮蔽板６００は、例えば、ノズル４７３の進退により回動可能である。
【００５２】
以下、第１噴出口４７９ａ及び第２噴出口４７９ｂについて、詳しく説明する。  
図５は、第１噴出口４７９ａから水を噴出している状態（すなわち、後述の前方洗浄動作）を表している。図６は、第２噴出口４７９ｂから水を噴出している状態（すなわち、後述の後方洗浄動作）を表している。
【００５３】
第１噴出口４７９ａ及び第２噴出口４７９ｂは、例えば、霧状の水を噴出する。第１噴出口４７９ａ及び第２噴出口４７９ｂから噴出される水の粒径は、例えば、おしり洗浄吐水口４７４ａ、やわらか洗浄吐水口４７４ｂ、及びビデ洗浄吐水口４７４ｃから噴出される水の粒径よりも小さい。第１噴出口４７９ａ及び第２噴出口４７９ｂから噴出される水の粒径は、例えば、約４００μｍ程度である。
【００５４】
図５に表したように、第１噴出口４７９ａは、前下方に向けて開口している。第１噴出口４７９ａは、前下方に向けて水を噴出する。より具体的には、第１噴出口４７９ａは、水平面ＨＰに対して第１噴出角度θ１で水を噴出する。第１噴出角度θ１は、第１噴出口４７９ａから噴出される水の第１噴出方向Ｄ１と水平面ＨＰとのなす角度である。第１噴出方向Ｄ１は、例えば、第１噴出口４７９ａから噴射される水の噴出範囲Ｒ１の中心線で表すことができる。第１噴出方向Ｄ１は、例えば、第１噴出口４７９ａの法線で表してもよい。
【００５５】
第１噴出角度θ１は、例えば、水平面ＨＰに対するノズル４７３の進出角度θ３よりも大きい。進出角度θ３は、ノズル４７３の進出方向ＥＤと水平面ＨＰとのなす角度である。換言すれば、第１噴出口４７９ａは、例えば、ノズル４７３の進出方向ＥＤよりも後方に向けて水を噴出する。第１噴出角度θ１は、鋭角である。第１噴出角度θ１は、例えば、３８度以上７２度以下である。
【００５６】
図６に表したように、第２噴出口４７９ｂは、第１噴出口４７９ａよりも後方に向けて開口している。第２噴出口４７９ｂは、第１噴出口４７９ａよりも後方に向けて水を噴出する。より具体的には、第２噴出口４７９ｂは、水平面ＨＰに対して第２噴出角度θ２で水を噴出する。第２噴出角度θ２は、第２噴出口４７９ｂから噴出される水の第２噴出方向Ｄ２と水平面ＨＰとのなす角度である。第２噴出方向Ｄ２は、例えば、第２噴出口４７９ｂから噴射される水の噴出範囲Ｒ２の中心線で表すことができる。第２噴出方向Ｄ２は、例えば、第２噴出口４７９ｂの法線で表してもよい。
【００５７】
第２噴出角度θ２は、例えば、水平面ＨＰに対するノズル４７３の進出角度θ３よりも大きい。換言すれば、第２噴出口４７９ｂは、例えば、ノズル４７３の進出方向ＥＤよりも後方に向けて水を噴出する。第２噴出角度θ２は、第１噴出角度θ１よりも大きい。換言すれば、第２噴出口４７９ｂは、第１噴出口４７９ａよりも後方に向けて水を噴出する。第２噴出角度θ２は、例えば、７２度以上９０度以下である。
【００５８】
このように、前後方向において異なる向きに水を噴出する２つの噴出口４７９（第１噴出口４７９ａ及び第２噴出口４７９ｂ）を設けることで、ボウル８０１のより広い範囲に水を付着させることができる。より具体的には、前下方に向けて水を噴出する第１噴出口４７９ａによりボウル８０１の前方側に水を付着させるとともに、第１噴出口４７９ａよりも後方に向けて水を噴出する第２噴出口４７９ｂによりボウル８０１の後方側に水を付着させることができる。これにより、第１噴出口４７９ａから噴出される水が付着しにくいボウル８０１の後方側に第２噴出口４７９ｂから噴出される水を付着させることができ、ボウル８０１のより広い範囲に水を付着させることができる。
【００５９】
また、図４に表したように、第２噴出口４７９ｂは、第１噴出口４７９ａの側方に設けられる。より具体的には、第２噴出口４７９ｂは、上下方向において第１噴出口４７９ａと重ならない。第２噴出口４７９ｂの少なくとも一部は、例えば、左右方向において第１噴出口４７９ａと重なる。また、例えば、第１噴出口４７９ａは、ノズル４７３の前端部４７７の左右方向の中央ＣＬ２よりも一方側（この例では左側）に位置し、第２噴出口４７９ｂは、左右方向の中央ＣＬ２よりも他方側（この例では右側）に位置する。
【００６０】
なお、第１噴出口４７９ａがノズル４７３の前端部４７７の左右方向の中央ＣＬ２よりも右側に位置し、第２噴出口４７９ｂが左右方向の中央ＣＬ２よりも左側に位置していてもよい。換言すれば、第１噴出口４７９ａの左右方向の位置と第２噴出口４７９ｂの左右方向の位置とは、逆であってもよい。
【００６１】
このように、第２噴出口４７９ｂを第１噴出口４７９ａの側方に設けることで、第１噴出口４７９ａの水を噴出する向きと第２噴出口４７９ｂの水を噴出する向きとが異なる場合にも、一方の噴出口４７９（例えば、第２噴出口４７９ｂ）から噴出された水が他方の噴出口４７９（例えば、第１噴出口４７９ａ）に当たってしまうことを抑制できる。これにより、それぞれの噴出口４７９の水を噴出する向きの設計の自由度を向上させることができる。したがって、第１噴出口４７９ａからより前方に向けて水を噴出させることができ、ボウル８０１の前方側により水を付着させやすくすることができる。
【００６２】
また、図４に表したように、第１噴出口４７９ａは、例えば、第２噴出口４７９ｂよりも上方に位置する。より具体的には、第１噴出口４７９ａの中心Ｃ１は、第２噴出口４７９ｂの中心Ｃ２よりも上方に位置する。
【００６３】
このように、第１噴出口４７９ａの中心Ｃ１を第２噴出口４７９ｂの中心Ｃ２よりも上方に配置することで、一方の噴出口４７９（例えば、第２噴出口４７９ｂ）から噴出された水が他方の噴出口４７９（例えば、第１噴出口４７９ａ）に当たってしまうことをより確実に抑制することができる。
【００６４】
また、図４に表したように、第１噴出口４７９ａ及び第２噴出口４７９ｂは、例えば、ノズル４７３の前端部４７７に設けられる。より具体的には、第１噴出口４７９ａ及び第２噴出口４７９ｂは、例えば、ノズル４７３の前端部４７７において、上下方向の中央ＣＬ１よりも下方に設けられる。
【００６５】
このように、第１噴出口４７９ａ及び第２噴出口４７９ｂをノズル４７３の前端部４７７に設けることで、第１噴出口４７９ａからより前方に向けて水を噴出させることができる。これにより、ボウル８０１の前方側により水を付着させやすくすることができる。
【００６６】
図７〜図１０は、実施形態に係る衛生洗浄装置を備えたトイレ装置を模式的に表す断面図である。  
図７〜図１０は、図１に示すＡ１−Ａ２線による断面を表す。  
図７は、ノズル４７３が収納位置にある状態で、第２噴出口４７９ｂから水を噴出した場合の噴出範囲Ｒ２を表している。図８は、ノズル４７３が収納位置と所定位置との間にある状態で、第２噴出口４７９ｂから水を噴出した場合の噴出範囲Ｒ２を表している。図９は、ノズル４７３が所定位置にある状態で、第１噴出口４７９ａから水を噴出した場合の噴出範囲Ｒ１を表している。図１０は、ノズル４７３が進出位置にある状態で、第１噴出口４７９ａから水を噴出した場合の噴出範囲Ｒ１を表している。
【００６７】
ノズル４７３は、図７に表した収納位置と、図１０に表した進出位置との間で進退可能に設けられる。より具体的には、ノズル４７３は、図７に表した収納位置から前下方に向けて進出し、図８に表した位置及び図９に表した位置（所定位置）を経て、図１０に表した進出位置まで進出可能である。また、ノズル４７３は、図１０に表した進出位置から後上方に向けて後退し、図９に表した位置（所定位置）及び図８に表した位置を経て、図７に表した収納位置まで後退可能である。
【００６８】
実施形態において、制御部４０５は、衛生洗浄装置１００の使用前に、使用前洗浄を行う。使用前洗浄において、制御部４０５は、第１噴出口４７９ａから水を噴出させる前方洗浄動作と、第２噴出口４７９ｂから水を噴出させる後方洗浄動作と、を行う。
【００６９】
前方洗浄動作は、少なくともノズル４７３が所定位置または所定位置よりも前方にある状態で行われる。図９に表したように、所定位置は、図７に表した収納位置と、図１０に表した進出位置との間の位置である。
【００７０】
ノズル４７３が所定位置または所定位置よりも前方にある状態で第１噴出口４７９ａから前下方に向けて水を噴出する前方洗浄動作を行うことで、着座中の使用者に水がかかることを抑制しつつ、ボウル８０１の前方側に水を付着させることができる。
【００７１】
後方洗浄動作は、少なくともノズル４７３が所定位置よりも後方にある状態で行われる。後方洗浄動作は、図７に表したように、ノズル４７３が収納位置にある状態で行われてもよいし、図８に表したように、ノズル４７３が収納位置と所定位置との間にある状態で行われてもよい。
【００７２】
ノズル４７３が所定位置よりも後方にある状態で第２噴出口４７９ｂから第１噴出口４７９ａよりも後方に向けて水を噴出する後方洗浄動作を行うことで、前方洗浄動作において水を付着させにくいボウル８０１の後方側にも水を付着させることができる。
【００７３】
このように、ノズル４７３の位置に応じて、前後方向において異なる向きに水を噴出する２つの噴出口（第１噴出口４７９ａ及び第２噴出口４７９ｂ）のそれぞれから水を噴出させることで、着座中の使用者に水がかかることを抑制しつつ、ノズル４７３に設けられた噴出口４７９からボウル８０１のより広い範囲に水を付着させることができる。
【００７４】
図９及び図１０に表したように、ノズル４７３が進出位置にある状態における噴出範囲Ｒ１の前端は、ノズル４７３が所定位置にある状態における噴出範囲Ｒ１の前端よりも後方にある。このように、噴出範囲Ｒ１の前端の位置は、ノズル４７３が進出するほど後ろになる。換言すれば、ノズル４７３が進出するほど、第１噴出口４７９ａから水を噴出させた際にボウル８０１の前方側に水を付着させにくくなる。このことから、前方洗浄動作は、ノズル４７３が所定位置または所定位置よりも前方、かつ進出位置よりも後方にある状態で行われることが好ましい。
【００７５】
一方、ノズル４７３が十分に進出していない状態で、第１噴出口４７９ａから水を噴出させると、第１噴出口４７９ａの位置が高いために、着座中の使用者に第１噴出口４７９ａから噴出された水がかかる恐れがある。そこで、図９に表したように、ノズル４７３の前端部４７７は、ノズル４７３が所定位置にあるとき、便座２００の開口２０１の後端２０１ａよりも前方に位置することが好ましい。換言すれば、前方洗浄動作は、ノズル４７３の前端部４７７が便座２００の開口２０１の後端２０１ａよりも前方に位置する状態で行われることが好ましい。
【００７６】
このように、ノズル４７３の前端部４７７が便座２００の開口２０１の後端２０１ａよりも前方に位置する状態で前方洗浄動作を行うことで、着座中の使用者に第１噴出口４７９ａから噴出された水がかかることをより確実に抑制できる。
【００７７】
また、ノズル４７３の前端部４７７は、ノズル４７３が所定位置にあるとき、遮蔽板６００の下端よりも前方に位置することが好ましい。換言すれば、前方洗浄動作は、ノズル４７３の前端部４７７が遮蔽板６００の下端よりも前方に位置する状態で行われることが好ましい。
【００７８】
また、収納位置におけるノズル４７３の進出量を０、進出位置におけるノズル４７３の進出量を１００としたときに、所定位置におけるノズル４７３の進出量は、例えば、３５以上９５以下とすることが好ましく、５０以上７０以下とすることがより好ましい。
【００７９】
図１１は、実施形態に係る衛生洗浄装置の動作の一例を表すフローチャートである。  
図１１に表したように、この例では、制御部４０５は、着座検知センサ４０４が着座を検知しない状態から着座を検知した状態になると（ステップＳ１０１：Ｙｅｓ）、所定位置までノズル４７３を進出させる（ステップＳ１０２）。
【００８０】
このように、使用者の着座をトリガーにして使用前洗浄（前方洗浄動作及び後方洗浄動作）を行うことで、衛生洗浄装置１００の使用直前にボウル８０１に水を付着させることができる。これにより、ボウル８０１に水を付着させてから時間が経過して付着した水が乾いたり水が落水したりしてしまうことを抑制できる。特に、前方洗浄動作及び後方洗浄動作のうち、先に行われた動作で水が付着した箇所において、付着した水が乾いたり水が落水したりしてしまうことを抑制できる。
【００８１】
なお、使用前洗浄のトリガーは、使用者の着座に限定されない。制御部４０５は、例えば、使用者のトイレ室への入室や、便蓋３００を開くためのボタン操作などをトリガーにして、使用前洗浄を行ってもよい。
【００８２】
所定位置までノズル４７３を進出させると、制御部４０５は、第１噴出口４７９ａからの水の噴出（前方洗浄動作）を開始させる（ステップＳ１０３）。第１噴出口４７９ａからの水の噴出を所定時間（例えば、６秒間）行ったら（ステップＳ１０４：Ｙｅｓ）、制御部４０５は、第１噴出口４７９ａからの水の噴出（前方洗浄動作）を停止させる（ステップＳ１０５）。
【００８３】
第１噴出口４７９ａからの水の噴出を停止させると、制御部４０５は、収納位置までノズル４７３を後退させる（ステップＳ１０６）。
【００８４】
収納位置までノズル４７３を後退させると、制御部４０５は、第２噴出口４７９ｂからの水の噴出（後方洗浄動作）を開始させる（ステップＳ１０７）。第２噴出口４７９ｂからの水の噴出を所定時間（例えば、５秒間）行ったら（ステップＳ１０８：Ｙｅｓ）、制御部４０５は、第２噴出口４７９ｂからの水の噴出（後方洗浄動作）を停止させる（ステップＳ１０９）。
【００８５】
制御部４０５は、ステップＳ１０３の開始後、所定位置よりも前方にノズル４７３を進出させたり、所定位置よりも前方の位置から所定位置までノズル４７３を後退させたりしてもよい。すなわち、制御部４０５は、所定位置よりも前方にノズル４７３を進出させたり、所定位置よりも前方の位置から所定位置までノズル４７３を後退させたりしながら、第１噴出口４７９ａからの水の噴出を行ってもよい。
【００８６】
ステップＳ１０５は、ステップＳ１０６の後に行われてもよい。すなわち、制御部４０５は、ノズル４７３の後退後に第１噴出口４７９ａからの水の噴出を停止させてもよい。また、ステップＳ１０５は、ステップＳ１０６の開始後、ステップＳ１０６が完了する前に行われてもよい。すなわち、制御部４０５は、ノズル４７３を後退させながら、第１噴出口４７９ａからの水の噴出を停止させてもよい。
【００８７】
図１２は、実施形態に係る衛生洗浄装置の動作の別の一例を表すフローチャートである。  
図１２に表したように、この例では、制御部４０５は、着座検知センサ４０４が着座を検知しない状態から着座を検知した状態になると（ステップＳ２０１：Ｙｅｓ）、第２噴出口４７９ｂからの水の噴出（後方洗浄動作）を開始させる（ステップＳ２０２）。
【００８８】
第２噴出口４７９ｂからの水の噴出を所定時間（例えば、６秒間）行ったら（ステップＳ２０３：Ｙｅｓ）、制御部４０５は、第２噴出口４７９ｂからの水の噴出（後方洗浄動作）を停止させる（ステップＳ２０４）。第２噴出口４７９ｂからの水の噴出を停止させると、制御部４０５は、所定位置までノズル４７３を進出させる（ステップＳ２０５）。
【００８９】
所定位置までノズル４７３を進出させると、制御部４０５は、第１噴出口４７９ａからの水の噴出（前方洗浄動作）を開始させる（ステップＳ２０６）。第１噴出口４７９ａからの水の噴出を所定時間（例えば、５秒間）行ったら（ステップＳ２０７：Ｙｅｓ）、制御部４０５は、第１噴出口４７９ａからの水の噴出（前方洗浄動作）を停止させる（ステップＳ２０８）。
【００９０】
第１噴出口４７９ａからの水の噴出を停止させると、制御部４０５は、収納位置までノズル４７３を後退させる（ステップＳ２０９）。
【００９１】
制御部４０５は、ステップＳ２０６の開始後、所定位置よりも前方にノズル４７３を進出させたり、所定位置よりも前方の位置から所定位置までノズル４７３を後退させたりしてもよい。すなわち、制御部４０５は、所定位置よりも前方にノズル４７３を進出させたり、所定位置よりも前方の位置から所定位置までノズル４７３を後退させたりしながら、第１噴出口４７９ａからの水の噴出を行ってもよい。
【００９２】
ステップＳ２０８は、ステップＳ２０９の後に行われてもよい。すなわち、制御部４０５は、ノズル４７３の後退後に第１噴出口４７９ａからの水の噴出を停止させてもよい。また、ステップＳ２０８は、ステップＳ２０９の開始後、ステップＳ２０９が完了する前に行われてもよい。すなわち、制御部４０５は、ノズル４７３を後退させながら、第１噴出口４７９ａからの水の噴出を停止させてもよい。
【００９３】
図１３は、実施形態に係る衛生洗浄装置の動作の別の一例を表すフローチャートである。  
図１３に表したように、この例では、制御部４０５は、着座検知センサ４０４が着座を検知しない状態から着座を検知した状態になると（ステップＳ３０１：Ｙｅｓ）、第２噴出口４７９ｂからの水の噴出（後方洗浄動作）を開始させる（ステップＳ３０２）。
【００９４】
第２噴出口４７９ｂからの水の噴出を開始させると、制御部４０５は、第２噴出口４７９ｂから水を噴出させた状態で、所定位置までノズル４７３を進出させる（ステップＳ３０３）。すなわち、制御部４０５は、ノズル４７３を所定位置に進出させながら後方洗浄動作を行う。
【００９５】
このように、前方洗浄動作の前に、ノズル４７３を進出させながら後方洗浄動作を行うことで、より短い時間でボウル８０１のより広い範囲に水を付着させることができる。
【００９６】
所定位置までノズル４７３を進出させると、制御部４０５は、第２噴出口４７９ｂからの水の噴出（後方洗浄動作）を停止させる（ステップＳ３０４）とともに、第１噴出口４７９ａからの水の噴出（前方洗浄動作）を開始させる（ステップＳ３０５）。
【００９７】
第１噴出口４７９ａからの水の噴出を所定時間（例えば、５秒間）行ったら（ステップＳ３０６：Ｙｅｓ）、制御部４０５は、第１噴出口４７９ａからの水の噴出（前方洗浄動作）を停止させる（ステップＳ３０７）とともに、第２噴出口４７９ｂからの水の噴出（後方洗浄動作）を開始させる（ステップＳ３０８）。
【００９８】
第２噴出口４７９ｂからの水の噴出を開始させると、制御部４０５は、第２噴出口４７９ｂから水を噴出させた状態で、収納位置までノズル４７３を後退させる（ステップＳ３０９）。すなわち、制御部４０５は、ノズル４７３を収納位置に後退させながら後方洗浄動作を行う。
【００９９】
このように、ノズル４７３を後退させながら後方洗浄動作を行うことで、ノズル４７３内の残水の塊がボウル８０１に落下することを抑制できる。これにより、後方洗浄動作でボウル８０１に付着した水がノズル４７３内の残水の塊によって流れてしまうことを抑制できる。
【０１００】
収納位置までノズル４７３を後退させると、制御部４０５は、第２噴出口４７９ｂからの水の噴出（後方洗浄動作）を停止させる（ステップＳ３１０）。
【０１０１】
ステップＳ３０２は、ステップＳ３０３の開始後、ステップＳ３０３が完了する前に行われてもよい。すなわち、制御部４０５は、ノズル４７３を進出させながら、第２噴出口４７９ｂからの水の噴出を開始させてもよい。
【０１０２】
また、ステップＳ３０４及びステップＳ３０５は、ステップＳ３０３の開始後、ステップＳ３０３が完了する前に行われてもよい。すなわち、制御部４０５は、ノズル４７３を進出させながら、第２噴出口４７９ｂからの水の噴出を停止させてもよいし、ノズル４７３を進出させながら、第１噴出口４７９ａからの水の噴出を開始させてもよい。
【０１０３】
ステップＳ３１０は、ステップＳ３０９の開始後、ステップＳ３０９が完了する前に行われてもよい。すなわち、制御部４０５は、ノズル４７３を後退させながら、第２噴出口４７９ｂからの水の噴出を停止させてもよい。
【０１０４】
また、ステップＳ３０７及びステップＳ３０８は、ステップＳ３０９の開始後、ステップＳ３０９が完了する前に行われてもよい。すなわち、制御部４０５は、ノズル４７３を後退させながら、第１噴出口４７９ａからの水の噴出を停止させてもよいし、ノズル４７３を進出させながら、第２噴出口４７９ｂからの水の噴出を開始させてもよい。
【０１０５】
また、ステップＳ３１０は、ステップＳ３０９の完了後、所定時間（例えば、５秒間）経ってから行われてもよい。すなわち、制御部４０５は、ノズル４７３を収納位置まで後退させた状態で所定時間（例えば、５秒間）第２噴出口４７９ｂからの水の噴出を続けてもよい。
【０１０６】
実施形態において、後方洗浄動作は、前方洗浄動作の前及び前方洗浄動作の後の少なくともいずれかで行われればよい。つまり、ステップＳ３０２及びステップＳ３０４が行われる場合、ステップＳ３０８及びステップＳ３１０は、必要に応じて行われ、省略可能である。同様に、ステップＳ３０８及びステップＳ３１０が行われる場合、ステップＳ３０２及びステップＳ３０４は、必要に応じて行われ、省略可能である。
【０１０７】
また、実施形態において、制御部４０５は、衛生洗浄装置１００の使用後に、使用後洗浄を行ってもよい。より具体的には、制御部４０５は、例えば、着座検知センサ４０４が着座を検知した状態から着座を検知しない状態になると、使用後洗浄を行ってもよい。使用後洗浄において噴出口４７９から噴出される水は、電解槽ユニット４５０において生成された機能水であってもよい。
【０１０８】
なお、使用後洗浄のトリガーは、使用者の離座に限定されない。制御部４０５は、例えば、使用者のトイレ室からの退室や、便器洗浄のボタン操作などをトリガーにして、使用後洗浄を行ってもよい。使用後洗浄は、上記の図１１〜図１３に示したフローと同様のフローで行うことができる。
【０１０９】
以上のように、実施形態によれば、着座中の使用者に水がかかることを抑制しつつ、ノズル４７３に設けられた噴出口４７９からボウル８０１のより広い範囲に水を付着させることができる衛生洗浄装置１００を提供できる。
【０１１０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１１】
１０ 給水源、  ２０ 導水部、  ２１  おしり洗浄流路、  ２２ やわらか洗浄流路、  ２３ ビデ洗浄流路、  ２４ 表面洗浄流路、  ２５ 第１ボウル噴出流路、  ２６ 第２ボウル噴出流路、  １００ 衛生洗浄装置、  ２００ 便座、  ３００ 便蓋、  ４００ ケーシング、  ４０１ 電源回路、  ４０４ 着座検知センサ、  ４０５ 制御部、  ４０７ 排気口、  ４０８ 排出口、  ４３１ 電磁弁、  ４３２ 調圧弁、  ４３３ 逆止弁、  ４４０ 熱交換器ユニット、  ４４２ 流量センサ、  ４５０ 電解槽ユニット、  ４５２ バキュームブレーカ、  ４５４ 圧力変調部、  ４７１ 流量調整部、  ４７２ 流路切替部、  ４７３ ノズル、  ４７３ａ ノズルヘッド、  ４７３ｂ ノズルカバー、  ４７４ 吐水口、  ４７４ａ おしり洗浄吐水口、  ４７４ｂ やわらか洗浄吐水口、  ４７４ｃ ビデ洗浄吐水口、  ４７５ａ 孔部、  ４７５ｂ 切り欠き部、  ４７６ ノズル駆動部、  ４７７ 前端部、  ４７８ ノズル洗浄部、  ４７９ 噴出口、  ４７９ａ、４７９ｂ 第１、第２噴出口、  ５００ 操作部、  ６００ 遮蔽板、  ８００ 便器、  ８０１ ボウル、  ９００ トイレ装置、  Ｃ１、Ｃ２ 中心、  ＣＬ１、ＣＬ２ 中央、  Ｄ１、Ｄ２ 第１、第２噴出方向、  ＥＤ 進出方向、  ＨＰ 水平面、  Ｒ１、Ｒ２ 噴出範囲、  θ１、θ２ 第１、第２噴出角度、  θ３ 進出角度
【図１】
2020204155.tif 000003
【図２】
2020204155.tif 000004
【図３】
2020204155.tif 000005
【図４】
2020204155.tif 000006
【図５】
2020204155.tif 000007
【図６】
2020204155.tif 000008
【図７】
2020204155.tif 000009
【図８】
2020204155.tif 000010
【図９】
2020204155.tif 000011
【図１０】
2020204155.tif 000012
【図１１】
2020204155.tif 000013
【図１２】
2020204155.tif 000014
【図１３】
2020204155.tif 000015